(57)【要約】  核よりビニルエーテル系重合体からなるアームとオキシスチレン系重合体からなるアームが順に共重合したビニルエーテル系星型ポリマーを一連の工程で継続して実施することのできる製造方法を提供することを目的とする。当該製造方法は、少なくとも開始種、溶媒及びジビニル化合物を含む反応溶液中に、ルイス酸を添加して側鎖にビニル基を有するビニルエーテルポリマーを合成し、当該ビニル基側鎖の分子間架橋により核を生成させた後、ビニルエーテル系単量体とオキシスチレン系単量体を添加してビニルエーテル系単量体、オキシスチレン系単量体の順にリビングカチオン重合させ、ジブロックアームを形成させることを特徴とする。【特許請求の範囲】
【請求項１】
少なくとも開始種、溶媒及びジビニル化合物を含む反応溶液中に、ルイス酸を添加して側鎖にビニル基を有するビニルエーテルポリマーを合成し、当該ビニル基側鎖の分子間架橋により核を生成させた後、ビニルエーテル系単量体とオキシスチレン系単量体を添加してビニルエーテル系単量体、オキシスチレン系単量体の順にリビングカチオン重合させ、ジブロックアームを形成させることを特徴とするビニルエーテル系星型ポリマーの製造方法。
【請求項２】
前記ジブロックアーム形成において、前記ビニルエーテル系単量体を反応溶液に添加してリビングカチオン重合させ、次いで、前記オキシスチレン系単量体を反応溶液に添加してリビングカチオン重合させることを特徴とする請求項１に記載のビニルエーテル系星型ポリマーの製造方法。
【請求項３】
前記ジブロックアーム形成において、前記ビニルエーテル系単量体と前記オキシスチレン系単量体の混合物を反応溶液に添加し、前記オキシスチレン系単量体の反応速度定数ｋＯＳと前記ビニルエーテル系単量体の反応速度定数ｋＶＥとの反応速度定数比がｋＶＥ／ｋＯＳ≧１６５０となる条件下でリビングカチオン重合させることを特徴とする請求項１に記載のビニルエーテル系星型ポリマーの製造方法。
【請求項４】
前記ジビニル化合物の使用量が、開始種１当量に対して１〜１０００の範囲である請求項１〜３のいずれかの項記載のビニルエーテル系星型ポリマーの製造方法。
【請求項５】
前記ジビニル化合物の分子間架橋反応による核の形成を、ＧＰＣチャートの波形をモニタリングすることにより確認する請求項１〜４のいずれかの項記載のビニルエーテル系星型ポリマーの製造方法。
【請求項６】
前記オキシスチレン系単量体をリビングカチオン重合させてジブロックアームを形成させる際に、ルイス酸を追加することを特徴とする請求項１〜５のいずれかの項記載のビニルエーテル系星型ポリマーの製造方法。
【請求項７】
追加するルイス酸が、初期に導入したルイス酸とは異なるルイス酸であることを特徴とする請求項６記載のビニルエーテル系星型ポリマーの製造方法。
【請求項８】
前記ジビニル化合物が次の一般式（１）
【化１】
2011070880.tif 000009
（式中、Ｒ１及びＲ３は、それぞれ水素原子またはメチル基を示し、Ｒ２は、二価の有機基を示す）
で表されるものである請求項１〜７の何れかの項記載のビニルエーテル系星型ポリマーの製造方法。
【請求項９】
前記ビニルエーテル系単量体が次の一般式（２）
【化２】
2011070880.tif 000010
〔式中、Ｒ４は炭素数１〜６の直鎖または分岐鎖アルキル基、炭素数１〜６の直鎖または分岐鎖アルキル基であって全部または一部の水素がフッ素に置換されたフルオロアルキル基、炭素数２〜６のアルコキシアルキル基、炭素数５〜１０のシクロアルキル基、次の基（２ａ）または次の基（２ｂ）
【化３】
2011070880.tif 000011
（ここで、ｍは０、１、２または３であり、Ｘは未置換のフェニル基、または、一つまたはそれ以上の炭素数１〜４の直鎖または分岐鎖アルキル基、１〜４の直鎖または分岐鎖アルキル基であって全部または一部の水素がフッ素に置換されたフルオロアルキル基、炭素数１〜４のアルコキシ基またはハロゲン原子によって置換されたフェニル基である）で表されるアリール基またはアリールアルキル基、
【化４】
2011070880.tif 000012
（ここで、Ｒはメチル基またはエチル基、ｋは１〜１０の整数である）で表されるアルコキシポリオキシアルキル基を表す〕
で表されるものである請求項１〜８のいずれかの項記載のビニルエーテル系星型ポリマーの製造方法。
【請求項１０】
前記オキシスチレン系単量体が次の一般式（３）
【化５】
2011070880.tif 000013
（式中、Ｒ５は水素原子または炭素数１〜４のアルキル基を表し、Ｒ６は水素原子、炭素数１〜４のアルキル基、炭素数２〜６のアルコキシアルキル基、アシル基、アルコキシカルボニル基、アルコキシカルボニルアルキル基またはアルキルシリル基を示す）
で表されるものである請求項１〜９のいずれかの項記載のビニルエーテル系星型ポリマーの製造方法。
【発明の詳細な説明】
【技術分野】
【０００１】
本発明は、ビニルエーテル系星型ポリマーの製造方法に関する。更に詳しくは、核よりビニルエーテル系重合体とオキシスチレン系重合体が順に共重合したアームを有する星型ポリマーの製造方法に関する。
【背景技術】
【０００２】
ヒドロキシスチレンをはじめとするオキシスチレン系重合体は、各種の産業分野で機能性高分子材料として使用されており、中でも電子材料の分野、特に半導体レジスト用樹脂成分の原料として使用されている。また、半導体素子などの層間絶縁膜や表面保護膜に用いられる感光性樹脂成分としての利用も検討されている。【０００３】
近年半導体素子の高集積化、大型化、封止樹脂パッケージの薄型化、小型化、ハンダリフローによる表面実装への移行などにより、オキシスチレン系重合体においても、物性の更なる向上や新規な物性の付与が望まれており、ブロックポリマーや星型ポリマーといった特殊な構造を有するポリマー中への導入が試みられている。【０００４】
なかでも、オキシスチレン系重合体とビニルエーテル系重合体とをアームに併せ持つ星型ポリマーは、星型ポリマー特有の性質である低粘性、微粒子性に加えて、オキシスチレン系重合体とビニルエーテル系重合体固有の機能を同時に付与できるため、半導体素子の層間絶縁膜、表面保護膜などの用途に適した感光性樹脂成分の原料として好適に用いることができる。またアームをジブロック共重合体とすることによりミクロ相分離が可能となり、ナノオーダーで制御された材料の創製につながる。中でもオキシスチレン系アームをシェルに配列した場合、架橋反応にも有利な材料になりうる。【０００５】
ところで、星型ポリマーの製造方法としては、あらかじめ多官能開始種を合成して、そこからアームを伸ばす方法（コアファースト法）と、アームとなるリビングポリマーをジビニル化合物等により架橋して製造する方法（アームファースト法）が一般的である。【０００６】
たとえば、コアファースト法では、多官能性開始種を用いたビニルエーテル系重合体とオキシスチレン系重合体のジブロックポリマーをアームとする星型ポリマーの合成方法が開示されている（特許文献１）。しかしながら、当該方法では星型ポリマーの重合工程とは別工程での多官能性開始種の合成が必要なため、ワンポットでの製造は難しく製造方法が煩雑になる。加えて、多官能性開始種はコンパクトな開始種であるため、反応開始点付近が空間的に混みやすくアームの欠損が発生しやすい。また、当該方法で得られる星型ポリマーのアーム数は最大４本であり、星型ポリマーの微粒子性、枝数に依存する低粘性を十分に発現するのは難しいという問題があった。【０００７】
一方、アームファースト法では、アルコキシエチルアセテートなどの開始種とルイス酸により、ビニルエーテル系単量体をリビングカチオン重合し、次いで、得られたリビングポリマーにジビニルエーテルを添加して核を形成し、刺激応答性を有するビニルエーテル系星型ポリマーを製造する方法が開示されている（特許文献２）。当該方法では、アームと核とをワンポットで重合することが可能となるため、コアファースト法に比べ製造方法は簡便なものとなる。しかしながらアームファースト法では、オキシスチレン系単量体とビニルエーテル系単量体のカチオン重合性の違いから、オキシスチレンのリビングポリマーにビニルエーテル系単量体をカチオン重合させてブロック重合体を得ることは難しいため、オキシスチレン系アームをシェルに配列した星型ポリマーの合成は困難であった。【０００８】
そのため、製造方法自体が簡便で、アーム数を容易に増やすことができ、核よりビニルエーテル系アームとオキシスチレン系アームが順に共重合した星型ポリマーの製造方法の開発が求められている。
【先行技術文献】
【特許文献】
【０００９】
【特許文献１】特開１９９４−２３９９４４
【特許文献２】特開２００５−１５４４９７
【発明の概要】
【発明が解決しようとする課題】
【００１０】
本発明の課題は、核よりビニルエーテル系重合体からなるアームとオキシスチレン系重合体からなるアームが順に共重合したビニルエーテル系星型ポリマーを一連の工程で継続して実施することのできる製造方法を提供することである。
【課題を解決するための手段】
【００１１】
本発明者らは、上記課題を解決すべく鋭意研究を行った結果、まず、ルイス酸の存在下、開始種を用いてジビニル化合物をリビングカチオン重合させ、架橋することで核を形成し、次いでビニルエーテル系単量体とオキシスチレン系単量体をリビングカチオン重合させることで、ビニルエーテル系星型ポリマーを簡便に得ることができることを見出し、本発明を完成させるに至った。【００１２】
すなわち本発明は、少なくとも開始種、溶媒及びジビニル化合物を含む反応溶液中に、ルイス酸を添加して側鎖にビニル基を有するビニルエーテルポリマーを合成し、当該ビニル基側鎖の分子間架橋により核を生成させた後、ビニルエーテル系単量体とオキシスチレン系単量体を添加してビニルエーテル系単量体、オキシスチレン系単量体の順にリビングカチオン重合させ、ジブロックアームを形成させることを特徴とするビニルエーテル系星型ポリマーの製造方法を提供するものである。
【発明の効果】
【００１３】
本発明によれば、従来合成が煩雑であった核からビニルエーテル系アームとオキシスチレン系アームが順に共重合したビニルエーテル系星型ポリマーを簡便な方法で製造することができる。【００１４】
また、本発明のビニルエーテル系星型ポリマーの製造方法は、ワンポットで行うことができるため、製造工程や製造設備を大幅に簡略化でき、従来の種々の方法に比べて工業的に極めて有利である。
【発明を実施するための形態】
【００１５】
本発明方法は、少なくとも開始種、溶媒及びジビニル化合物を含む反応溶液中に、ルイス酸を添加して側鎖にビニル基を有するビニルエーテルポリマーを合成し、当該ビニル基側鎖の分子間架橋により核を生成させた後、ビニルエーテル系単量体とオキシスチレン系単量体を添加してビニルエーテル系単量体、オキシスチレン系単量体の順にリビングカチオン重合させ、ジブロックアームを形成させることを特徴とするビニルエーテル系星型ポリマーの製造方法を提供するものである。
【００１６】
本発明方法を実施するには、まず、反応容器に開始種、溶媒、ジビニル化合物を順次投入し、その後にこの反応に適切なルイス酸を添加する（以下、この工程を「核形成工程」という）。この工程で始めにスターポリマーの核が合成される。
【００１７】
この工程に用いられるジビニル化合物としては、次の一般式（１）
【化１】
2011070880.tif 000002
（式中、Ｒ１及びＲ３は、それぞれ水素原子またはメチル基を示し、Ｒ２は、二価の有機基を示す）
で表されるジビニル化合物を挙げることができる。
【００１８】
上記一般式（１）中、二価の有機基Ｒ２としては、下記式で示される基が含まれる。
【化２】
2011070880.tif 000003
（式中、ｎ、ｌ及びｐはそれぞれ１以上の整数を、Ｒ７は−Ｏ−、−Ｏ−Ｐｈ−Ｏ−あるいは−Ｏ−Ｐｈ−Ｃ（ＣＨ３）２−Ｐｈ−Ｏ−または炭素数３以上のシクロアルキル基を示す。式中、Ｐｈはフェニレン基を示す）
【００１９】
前記式（１）で表されるジビニル化合物の具体例としては、エチレングリコールジビニルエーテル、ビスフェノールＡビス（ビニルオキシエチレン）エーテル、ビス（ビニルオキシエチレン）エーテル、ヒドロキノンビス（ビニルオキシエチレン）エーテル、１,４−  ビス（ビニルオキシメチル）シクロヘキサンなどが挙げられる。
【００２０】
また、本発明方法において使用し得る開始種には、水、アルコール、プロトン酸などのプロトンを生成する化合物、またはハロゲン化アルキルなどのカルボカチオンを生成する化合物が含まれる。また、前記ビニルエーテルとプロトンを生成する化合物との付加物などのカチオン供給化合物であってもよい。このようなカルボカチオンを生成する化合物としては、例えば、１−イソブトキシエチルアセテートなどの１−アルコキシエチルアセテートなどが挙げられる。
【００２１】
更に、核形成工程のリビングカチオン重合反応において使用されるルイス酸（以下、「ルイス酸（Ｉ）」という）としては、一般にビニルエーテル系単量体のカチオン重合に用いられるルイス酸を使用することができる。
【００２２】
好ましいルイス酸（Ｉ）としては、一般式（４）
【化３】
2011070880.tif 000004
（式中、Ｒ８は一価の有機基を、Ｙはハロゲン原子を示し、ｑ及びｒはｑ＋ｒ＝３でかつ０≦ｑ＜３、０＜ｒ≦３の数を示す）
で表される有機ハロゲン化アルミニウム化合物またはハロゲン化アルミニウム化合物が挙げられる。
【００２３】
一般式（４）のＲ８の定義において、一価の有機基としては、アルキル基、アリール基、アラルキル基、アルケニル基、アルコキシ基が挙げられるが、とくに制限されるものではない。また、Ｙのハロゲン原子としては、塩素原子、臭素原子、フッ素原子等が挙げられ、ｑ及びｒは、ｑが１〜２の範囲であり、ｒが１〜２の範囲であることが好ましい。
【００２４】
上記の一般式（４）で表される有機ハロゲン化アルミニウム化合物またはハロゲン化アルミニウム化合物の例としては、ジエチルアルミニウムクロリド、ジエチルアルミニウムブロミド、ジイソブチルアルミニウムクロリド、メチルアルミニウムセスキクロリド、エチルアルミニウムセスキクロリド、エチルアルミニウムセスキブロミド、イソブチルアルミニウムセスキクロリド、メチルアルミニウムジクロリド、エチルアルミニウムジクロリド、エチルアルミニウムジブロミド、エチルアルミニウムジフルオライド、イソブチルアルミニウムジクロリド、オクチルアルミニウムジクロリド、エトキシアルミニウムジクロリド、フェニルアルミニウムジクロリド等が挙げられる。
【００２５】
更にまた、本発明方法で用いる溶媒としては、ベンゼン、トルエン、キシレン等の芳香族炭化水素溶媒；プロパン、ｎ−ブタン、イソブタン、ｎ−ペンタン、ｎ−ヘキサン、ｎ−ヘプタン、ｎ−オクタン、イソオクタン、デカン、ヘキサデカン、イソペンタン等の脂肪族炭化水素系溶媒；塩化メチレン、塩化エチレン、四塩化炭素等のハロゲン化炭化水素系溶媒；テトラヒドロフラン（ＴＨＦ）、ジオキサン、ジエチルエーテル、ジブチルエーテル、エチレングリコールジエチルエーテル等のエーテル系溶媒が挙げられる。これらの溶媒の中でも、トルエン、塩化メチレン、ヘキサンが好適に使用される。これらの溶媒は、単独で用いても良いし、２種類以上を組み合わせても良い。
【００２６】
核生成工程でのジビニル化合物の使用量は、開始種１当量に対して１〜１０００当量が好ましく、より好ましくは１〜１００当量である。ジビニル化合物の使用量が上記範囲より少ないと、形成された核中の反応開始点が減少するため十分なアーム導入ができない。また、ジビニル化合物の使用量が上記範囲を超えて多くなると核形成時にゲル化しやすくなる。また、上記開始種の添加量は特に制限はなく、目的とする分子量により適宜決定される。また、核形成工程で添加されるルイス酸の量は、通常ジビニル化合物に対して０．１〜１００モル％であり、好ましくは１〜５０モル％である。
【００２７】
上記核形成工程でのジビニル化合物による核形成の過程では、ジビニル化合物のビニル基が全て消費されるまで反応させることが重要である。ジビニル化合物がガスクロマトグラフィー上で全て消費されていても、架橋反応が不十分でビニル基が未反応の状態で残存している場合、ビニルエーテル系単量体が核内に取り込まれるため、十分にビニルエーテル系アームを伸長させることが困難となる。
【００２８】
このため、核を形成するための架橋反応の終点は、例えば、ゲルパーミエーションクロマトグラフィー（ＧＰＣ）のＲＩチャートを時分割にモニタリングし、ＧＰＣの波形の変化が収束することにより確認することができ、そうすることが好ましい。
【００２９】
上記のように、核形成工程により、ジビニル化合物による核が形成された後は、ビニルエーテル系単量体とオキシスチレン系単量体を添加し、順次リビングカチオン重合させジブロックアームを形成する（以下、「アーム形成工程」という）。
【００３０】
そして上記の核形成工程と、これから説明するアーム形成工程での各重合反応は、同一の反応容器内で一連の工程として継続して進めることができる。また、オキシスチレン系単量体のリビングカチオン重合の際には、後記するようにこれに適したルイス酸（ルイス酸（II））を加えることにより、オキシスチレン系単量体の重合速度を上げることができる。
【００３１】
このアーム形成工程で用いるビニルエーテル系単量体としては、次の一般式（２）
【化４】
2011070880.tif 000005
〔式中、Ｒ４は炭素数１〜６の直鎖または分岐鎖アルキル基、炭素数１〜６の直鎖または分岐鎖アルキル基であって全部または一部の水素がフッ素に置換されたフルオロアルキル基、炭素数２〜６のアルコキシアルキル基、炭素数５〜１０のシクロアルキル基、次の基（２ａ）または次の基（２ｂ）
【化５】
2011070880.tif 000006
（ここで、ｍは０、１、２または３であり、Ｘは未置換のフェニル基、または、一つまたはそれ以上の炭素数１〜４の直鎖または分岐鎖アルキル基、１〜４の直鎖または分岐鎖アルキル基であって全部または一部の水素がフッ素に置換されたフルオロアルキル基、炭素数１〜４のアルコキシ基またはハロゲン原子によって置換されたフェニル基である）で表されるアリール基またはアリールアルキル基、
【化６】
2011070880.tif 000007
（ここで、Ｒはメチル基またはエチル基、ｋは１〜１０の整数である）で表されるアルコキシポリオキシアルキル基を表す］
で表されるビニルエーテル系単量体を挙げることができる。
【００３２】
一般式（２）のＲ４の定義における、炭素数１〜６の直鎖または分岐鎖アルキル基としては、メチル基、エチル基、プロピル基、イソプロピル基、ｎ−ブチル基、ｓｅｃ−ブチル基、ｔｅｒｔ−ブチル基、イソブチル基、ｎ−アミル基、イソアミル基等が挙げられ、炭素数１〜６のフルオロアルキル基としてはトリフルオロメチル基、ペンタフルオロエチル基、２,２,２−トリフルオロエチル基などが挙げられる。また、炭素数２〜６のアルコキシアルキル基としてはメトキシメチル基、エトキシメチル基、２−メトキシエチル基、２−エトキシエチル基、２−テトラヒドロピラニル基、２−テトラヒドロフラニル基等が挙げられ、炭素数５〜１０のシクロアルキル基としては、シクロペンチル基、シクロヘキシル基、シクロヘプチル基、シクロオクチル基、ビシクロ［２.２.１］ヘプチル基、ビシクロ［２.２.２］オクチル基、トリシクロ［５.２.１.０2,6］デカニル基、アダマンチル基などが挙げられる。更に、基（２ａ）で表わされるアリール基としてはフェニル基、メチルフェニル基、エチルフェニル基、メトキシフェニル基、エトキシフェニル基、フルオロフェニル基、トリフルオロメチルフェニル基等が挙げられ、アリールアルキル基としてはベンジル基、メチルベンジル基、エチルベンジル基、メトキシベンジル基、エトキシベンジル基、フルオロベンジル基、トリフルオロメチルベンジル基等が挙げられる。更にまた、基（２ｂ）で表されるアルコキシポリオキシアルキル基としては２−（２−メトキシエトキシ）エチル基、２−（２−エトキシエトキシ）エチル基、２−（２−（２−メトキシエトキシ）エトキシ）エチル基、２−（２−（２−エトキシエトキシ）エトキシ）エチル基、２−（２−（２−（２−メトキシエトキシ）エトキシ）エトキシ）エチル基、２−（２−（２−（２−エトキシエトキシ）エトキシ）エトキシ）エチル基等が挙げられる。
【００３３】
前記の式（２）で表されるビニルエーテル系単量体としては、例えば、メチルビニルエーテル、エチルビニルエーテル、プロピルビニルエーテル、イソプロピルビニルエーテル、ｎ−ブチルビニルエーテル、ｓｅｃ−ブチルビニルエーテル、ｔｅｒｔ−ブチルビニルエーテル、イソブチルビニルエーテル、ｎ−アミルビニルエーテル、イソアミルビニルエーテル等のアルキルビニルエーテル類；トリフルオロメチルビニルエーテル、ペンタフルオロエチルビニルエーテル、２,２,２−トリフルオロエチルビニルエーテル等のフルオロアルキルビニルエーテル類；２−メトキシエチルビニルエーテル、２−エトキシエチルビニルエーテル、２−テトラヒドロピラニルビニルエーテル、２−テトラヒドロフラニルビニルエーテル等のアルコキシアルキルビニルエーテル類；シクロペンチルビニルエーテル、シクロヘキシルビニルエーテル、シクロヘプチルビニルエーテル、シクロオクチルビニルエーテル、２−ビシクロ［２.２.１］ヘプチルビニルエーテル、２−ビシクロ［２.２.２］オクチルビニルエーテル、８−トリシクロ［５.２.１.０2,6］デカニルビニルエーテル、１−アダマンチルビニルエーテル、２−アダマンチルビニルエーテル等のシクロアルキルビニルエーテル類；フェニルビニルエーテル、４−メチルフェニルビニルエーテル、４−トリフルオロメチルフェニルビニルエーテル、４−フルオロフェニルビニルエーテル等のアリールビニルエーテル類；ベンジルビニルエーテル、４−フルオロベンジルビニルエーテル等のアリールアルキルビニルエーテル類；２−（２−メトキシエトキシ）エチルビニルエーテル、２−（２−エトキシエトキシ）エチルビニルエーテル、２−（２−（２−メトキシエトキシ）エトキシ）エチルビニルエーテル、２−（２−（２−エトキシエトキシ）エトキシ）エチルビニルエーテル等のアルコキシポリオキシアルキルビニルエーテル類等が挙げられる。
【００３４】
これらのビニルエーテル系単量体は、１種を単独で用いても良いし、２種以上を組み合わせて使用しても良い。
【００３５】
一方、このアーム形成工程で使用されるオキシスチレン系単量体としては、次の一般式（３）
【化７】
2011070880.tif 000008
（式中、Ｒ５は水素原子または炭素数１〜４のアルキル基を表し、Ｒ６は水素原子、炭素数１〜４のアルキル基、炭素数２〜６のアルコキシアルキル基、アシル基、アルコキシカルボニル基、アルコキシカルボニルアルキル基またはアルキルシリル基を示す）
で表されるオキシスチレン系単量体を挙げることができる。
【００３６】
一般式（３）のＲ５の定義において、炭素数１〜４のアルキル基としては、メチル基、エチル基、プロピル基、イソプロピル基、ｎ−ブチル基、ｓｅｃ−ブチル基、ｔｅｒｔ−ブチル基、イソブチル基等が挙げられる。
【００３７】
一般式（３）のＲ６の定義において、炭素数１〜６のアルキル基としては、メチル基、エチル基、プロピル基、イソプロピル基、ｎ−ブチル基、ｓｅｃ−ブチル基、ｔｅｒｔ−ブチル基、イソブチル基、ｎ−アミル基、イソアミル基等が挙げられ、炭素数２〜６のアルコキシアルキル基としてはメトキシメチル基、エトキシメチル基、１−メトキシエチル基、１−エトキシエチル基、１−メトキシプロピル基、２−テトラヒドロピラニル基、２−テトラヒドロフラニル基等が挙げられ、炭素数２〜６のアシル基としてはアセチル基、プロピオニル基、ｔｅｒｔ−ブチルカルボニル基などが挙げられ、炭素数２〜６のアルコキシカルボニル基としてはメトキシカルボニル基、エトキシカルボニル基、プロポキシカルボニル基、ｔｅｒｔ−ブトキシカルボニル基などが挙げられ、炭素数２〜６のアルコキシカルボニルアルキル基としてはｔｅｒｔ−ブトキシカルボニルメチル基などが挙げられ、炭素数２〜６のアルキルシリル基としてはトリメチルシリル基、ｔｅｒｔ−ブチルジメチルシリル基等が挙げられる。
【００３８】
上記の一般式（３）で表されるオキシスチレン系単量体としては、例えば、ｐ−ヒドロキシスチレン、ｍ−ヒドロキシスチレン、ｏ−ヒドロキシスチレン、ｐ−イソプロペニルフェノール、ｍ−イソプロペニルフェノール、ｏ−イソプロペニルフェノール等のヒドロキシスチレン類；ｐ−メトキシスチレン、ｍ−メトキシスチレン、ｐ−エトキシスチレン、ｍ−エトキシスチレン、ｐ−プロポキシスチレン、ｍ−プロポキシスチレン、ｐ−イソプロポキシスチレン、ｍ−イソプロポキシスチレン、ｐ−ｎ−ブトキシスチレン、ｍ−ｎ−ブトキシスチレン、ｐ−イソブトキシスチレン、ｍ−イソブトキシスチレン、ｐ−ｔｅｒｔ−ブトキシスチレン、ｍ−ｔｅｒｔ−ブトキシスチレン等のアルコキシスチレン類；ｐ−メトキシメトキシスチレン、ｍ−メトキシメトキシスチレン、ｐ−（１−エトキシエトキシ）スチレン、ｍ−（１−エトキシエトキシ）スチレン、ｐ−（２−テトラヒドロピラニル）オキシスチレン、ｍ−（２−テトラヒドロピラニル）オキシスチレン等のアルコキシアルキルオキシスチレン類；ｐ−アセトキシスチレン、ｍ−アセトキシスチレン、ｐ−ｔｅｒｔ−ブチルカルボニルオキシスチレン、ｍ−ｔｅｒｔ−ブチルカルボニルオキシスチレン等のアルカノイルオキシスチレン類；ｐ−メトキシカルボニルオキシスチレン、ｍ−メトキシカルボニルオキシスチレン、ｐ−ｔｅｒｔ−ブトキシカルボニルオキシスチレン、ｍ−ｔｅｒｔ−ブトキシカルボニルメチルオキシスチレン等のアルコキシカルボニルオキシスチレン類；ｐ−ｔｅｒｔ−ブトキシカルボニルメチルオキシスチレン、ｍ−ｔｅｒｔ−ブトキシカルボニルオキシメチルスチレン等のアルコキシカルボニルアルキルオキシスチレン類；ｐ−トリメチルシリルオキシスチレン、ｍ−トリメチルシリルオキシスチレン、ｐ−ｔｅｒｔ−ブチルジメチルシリルオキシスチレン、ｍ−ｔｅｒｔ−ブチルジメチルシリルオキシスチレン等のアルキルシリルオキシスチレン類等が挙げられる。なかでも、ｐ−ヒドロキシスチレン、ｐ−イソプロペニルフェノール、ｐ−ｔｅｒｔ−ブトキシスチレン、ｐ−アセトキシスチレン等が好ましく用いられる。
【００３９】
これらのオキシスチレン系単量体は、１種を単独で用いても良いし、２種以上を組み合わせて使用しても良い。
【００４０】
上記ビニルエーテル系単量体とオキシスチレン系単量体を、順にリビングカチオン重合させジブロックアームを形成する方法としては、ビニルエーテル系単量体を反応系内に添加してリビングカチオン重合させ、次いで、オキシスチレン系単量体を反応系内に添加してリビングカチオン重合させる方法（Ａ法）や、ビニルエーテル系単量体とオキシスチレン系単量体の混合物を反応系内に添加し、オキシスチレン系単量体の反応速度定数ｋＯＳとビニルエーテル系単量体の反応速度定数ｋＶＥとの反応速度定数比がｋＶＥ／ｋＯＳ≧１６５０となる条件下でリビングカチオン重合させる方法（Ｂ法）を挙げることができる。
【００４１】
Ａ法によるアーム形成において、ビニルエーテル系単量体のリビングカチオン重合は反応系にビニルエーテル系単量体を添加することにより進行する。このとき、更にビニルエーテル系単量体のリビングカチオン重合に好適なルイス酸（Ｉ）を添加しても良い。ルイス酸（Ｉ）を追加する場合は、核形成工程で用いたルイス酸と同じルイス酸を追加しても良いし、異なるルイス酸を追加しても良い。ビニルエーテル系単量体の重合が完了した後に、オキシスチレン系単量体を加えて重合させ、ビニルエーテル系ポリマーであるアーム部に結合させる。この際、ビニルエーテル系単量体とオキシスチレン系単量体とでは、カチオン重合における反応性が大きく異なるため、ビニルエーテル系単量体の重合において使用されるルイス酸（Ｉ）とは異なる、オキシスチレン系単量体のリビングカチオン重合に好適なルイス酸（以下、「ルイス酸（II）」という）を用いることが必要である。
【００４２】
前記のルイス酸（II）としては、Ａｌ以外の元素からなる金属ハロゲン化合物または有機金属ハロゲン化合物が挙げられ、これらの化合物としては、ＴｉＣｌ４、ＴｉＢｒ４、ＢＣｌ３、ＢＦ３、ＢＦ３・ＯＥｔ２、ＳｎＣｌ２、ＳｎＣｌ４、ＳｂＣｌ５、ＳｂＦ５、ＷＣｌ６、ＴａＣｌ５、ＶＣｌ５、ＦｅＣｌ３、ＺｎＢｒ２、ＺｒＣｌ４などが挙げられる。なかでも、ルイス酸（II）として、ＳｎＣｌ４、ＦｅＣｌ３などが好ましく用いられる。
【００４３】
例えば、核形成工程及びビニルエーテル系単量体重合時にはＥｔ１.５ＡｌＣｌ１.５をルイス酸として用い、次いでオキシスチレン系単量体重合時にはＳｎＣｌ４を追加して用いてオキシスチレン系単量体の重合速度を加速することで、ビニルエーテル系重合体とオキシスチレン系重合体の共重合体をアームに有する星型ポリマーを製造することができる。
【００４４】
一方、Ｂ法によるアーム形成においては、ビニルエーテル系単量体とオキシスチレン系単量体の混合物を反応系内に添加する。このとき、更にビニルエーテル系単量体のリビングカチオン重合に好適なルイス酸（Ｉ）を添加しても良い。ルイス酸（Ｉ）を追加する場合は、核形成工程で用いたルイス酸と同じルイス酸を追加しても良いし、異なるルイス酸を追加しても良い。また、Ｂ法においても、オキシスチレン系単量体の重合の際には、オキシスチレン系単量体のリビングカチオン重合に好適なルイス酸（II）を用いる必要がある。ルイス酸（II）は、ビニルエーテル系単量体とオキシスチレン系単量体の混合物を反応系内に添加する際に追加しても良いし、ビニルエーテル系単量体の反応が終了した時点で追加しても良い。
【００４５】
アーム形成工程において追加されるルイス酸の量は、特に限定されないが、使用するビニルエーテル系単量体とオキシスチレン系単量体の重合特性あるいは重合濃度を考慮して設定することができる。通常は各種単量体に対して０.１〜１００モル％で使用することができ、好ましくは１〜５０モル％の範囲で使用することができる。
【００４６】
各重合条件は、使用するルイス酸、開始種、単量体及び溶媒等の種類により異なるが、重合温度としては、通常−８０℃〜１５０℃の範囲が好ましく、−７８℃〜８０℃の範囲内がより好ましい。また重合時間は、通常１０時間〜２５０時間の範囲である。
【００４７】
Ｂ法によるアーム形成においては、上記条件に加え、オキシスチレン系単量体の反応速度定数ｋＯＳとビニルエーテル系単量体の反応速度定数ｋＶＥとの反応速度定数比がｋＶＥ／ｋＯＳ≧１６５０となるような条件で反応させることで、オキシスチレン系単量体とビニルエーテル系単量体が共存する条件下にもかかわらず、はじめにビニルエーテル系単量体のみが重合し、ビニルエーテル系単量体がすべて消費された後でオキシスチレン系単量体の重合がおこるため、一段階反応が可能となる。
【００４８】
オキシスチレン系単量体の反応速度定数ｋＯＳとビニルエーテル系単量体の反応速度定数ｋＶＥは、オキシスチレン系単量体とビニルエーテル系単量体が共存する重合条件において各単量体の転化率をモニターすることにより求められるものであり、単量体のほか、重合温度、開始剤、ルイス酸、溶媒の種類などさまざまな要因で変動するので、適宜これらの要因を調整すればよい。
【００４９】
Ｂ法の実施において、ｋＶＥ／ｋＯＳ≧１６５０となるような条件が発現可能であれば、単量体、重合温度、開始剤、ルイス酸、溶媒の組み合わせは特に限定されないが、単量体としては、より反応速度定数の大きなビニルエーテル系単量体とより反応速度の小さなオキシスチレン系単量体を組み合わせたほうが、反応速度定数比が大きくなるため好ましい。好適な単量体の組み合わせとしては、例えば、エチルビニルエーテルとｐ−ｔｅｒｔ−ブトキシスチレンの組み合わせなどが挙げられる。当該単量体の組み合わせの場合、−３０℃以下、好ましくは−４０℃以下でリビングカチオン重合を行うことによりｋＶＥ／ｋＯＳ≧１６５０を満足することができ、定量的にジブロックアームを形成することができる。
【００５０】
目的とする星型ポリマーは、所望の重合度で反応停止剤を添加して重合反応を停止し、必要に応じて金属化合物等の触媒残渣を除去した後、（１）ポリマー溶液から揮発分を留去する方法、または（２）大量の貧溶媒を添加し、ポリマーを沈殿させ分離する方法等により単離することができる。
【００５１】
反応停止剤としては、例えば、メタノール、エタノール、プロパノール等のアルコール；ジメチルアミン、ジエチルアミン等のアミン；水、アンモニア水、水酸化ナトリウム水溶液等のように、末端停止剤として作用する化合物及び／またはルイス酸の活性を失活させる働きを有する化合物が用いられる。
【００５２】
また、ルイス酸である金属化合物を除去する方法としては、水または塩酸、硝酸、硫酸等の酸を含む水溶液で処理する方法；シリカゲル、アルミナ、シリカ−アルミナ等の無機酸化物で処理する方法；イオン交換樹脂で処理する方法等が挙げられる。金属化合物等の除去効率やコストを考慮するとイオン交換樹脂を用いて処理する方法が最も好ましい。
【００５３】
金属イオンの除去には、陽イオン交換樹脂が有効である。また、陽イオン交換樹脂の酸性度が高く、得られた星型ポリマーが加水分解及び／または架橋反応を起こして低分子量化または高分子量化する恐れがある場合は、イオン効果樹脂として陽イオン交換樹脂と陰イオン交換樹脂の混合品（混床イオン交換樹脂）を用いてもよい。
【００５４】
陽イオン交換樹脂としては、例えば、オルガノ（株）製アンバーリスト１５ＤＲＹ（商品名）、三菱化学（株）製ダイヤイオンＳＫ１ＢＨ、ＳＫ１０４Ｈ、ＰＫ２０８Ｈ、ＰＫ２１６Ｈ、ＰＫ２２８Ｈ（商品名）等の強酸性陽イオン交換樹脂などが挙げられる。混床イオン交換樹脂としては、オルガノ（株）製アンバーリストＭＳＰＳ２−１・ＤＲＹ（商品名）等の強酸性陽イオン交換樹脂と弱塩基性陰イオン交換樹脂の混合品などが挙げられる。
【００５５】
なお、オキシスチレン系単量体（３）の置換基Ｒ５や、置換基Ｒ６には、酸やアルカリにより容易に脱離して水酸基を与えるものがあり、そのような置換基を有するオキシスチレン系単量体を利用して得られた星型ポリマーを脱保護し、ヒドロキシスチレン系繰り返し単位をアームに持つ星型ポリマーを得ることもできる。
【００５６】
このような保護基を脱保護して得られる、ヒドロキシスチレン系重合体をアームに持つ星型ポリマーを得る場合には、例えば溶媒中、塩酸、硫酸などの酸触媒下や水酸化ナトリウム水溶液などのアルカリ条件下で、反応温度５０〜１５０℃、反応時間１〜３０時間反応を行い、保護基を脱離させればよい。
【実施例】
【００５７】
以下に実施例を挙げて本発明を更に説明するが、本発明はこれら実施例になんら限定されるものではない。なお、実施例において得られた星型ポリマーの物性評価は以下の方法より行った。【００５８】
（１）重量平均分子量（Ｍｗ）、数平均分子量（Ｍｎ）及び分子量分布（Ｍｗ／Ｍｎ）：
ゲルパーミエーションクロマトグラフィー（ＧＰＣ）法により標準ポリスチレン検量線から求めた〔ＲＩ検出器；カラムはＳｈｏｄｅｘ社製ＬＦ８０４×３本；溶離液はテトラヒドロフラン〕。
（２）絶対分子量（Ｍｗａｂｓｏｌｕｔｅ）：
ゲルパーミエーションクロマトグラフィー（ＧＰＣ）−粘度法により絶対分子量を求めた。〔ＲＩ検出器；粘度計；カラムはＳｈｏｄｅｘ社製ＫＦ−８００Ｄ＋ＫＦ−８０５Ｌ×２本；溶離液はテトラヒドロフラン〕。
（３）枝数（ｆ）：
枝数（ｆ）は、次式に従って算出した。
ｆ＝Ａ×Ｂ／Ｃ
Ａ：アーム形成モノマーの重量画分
Ｂ：Ｍｗａｂｓｏｌｕｔｅ（星）
Ｃ：Ｍｗ（枝）
（４）粒径：
粒径は、動的光散乱（ＤＬＳ）（大塚電子（株）製）により解析した〔溶離液はテトラヒドロフラン〕【００５９】
実  施  例  １
核−エチルビニルエーテル−ｐ−ｔｅｒｔ−ブトキシスチレン共重合      系星型ポリマーの製造（Ａ法によるアーム形成）：
三方活栓をつけたガラス容器を準備し、アルゴン置換後、アルゴン雰囲気下で加熱してガラス容器内の吸着水を除いた。容器内に１−イソブトキシエチルアセテート（以下、「ＩＢＥＡ」）１４.８ミリモーラー（以下、「ｍＭ」と略記する）、１,４−ビス（ビニルオキシメチル）シクロヘキサン（以下、「ＣＨＤＶＥ」と記載する）２９.５ｍＭ、酢酸エチル３.７モーラー（以下、「Ｍ」と略記する）およびトルエン１８５ｍｌを入れ、冷却した。【００６０】
系内温度が−１０℃に達したところでＥｔ１.５ＡｌＣｌ１.５のトルエン溶液（１１.４ｍＭ）を加えて重合を開始した。ＣＨＤＶＥのビニル基の転換を時分割にゲルパーミエーションクロマトグラフィー（以下、「ＧＰＣ」と略記する）を用いてモニタリングし、ＧＰＣの波形が一定になるまで反応を行った。【００６１】
ＧＰＣの波形が一定になった時点で反応溶液を少量採取し、ナトリウムメトキシドを含むメタノールで反応を停止させ、ＧＰＣにより分析したところ、得られたＣＨＤＶＥの核ポリマーは、Ｍｗ＝１８,０００、Ｍｗ／Ｍｎ＝１.７１であった。【００６２】
次いで、エチルビニルエーテル（以下、「ＥＶＥ」と記載する）０.１６Ｍを反応溶液に添加し、Ｅｔ１.５ＡｌＣｌ１.５のトルエン溶液（２３ｍＭ）を加え、更に反応温度−１０℃で反応を続けた。ＥＶＥの転換が終了した時点で反応溶液を少量採取し、ナトリウムメトキシドを含むメタノールで反応を停止させた。【００６３】
ＧＰＣにより分析したところ、得られた核−ＥＶＥ系星型ポリマーは、Ｍｗ＝３５,４００、Ｍｗ／Ｍｎ＝１.５５の単分散ポリマーであった。【００６４】
次に、ｐ−ｔｅｒｔ−ブトキシスチレン（以下、「ＰＴＢＯＳ」と記載する）０.１６Ｍを反応溶液に添加し、ＳｎＣｌ４のトルエン溶液（１８６ｍＭ）を加え、更に反応温度−１０℃で反応を続けた。ＰＴＢＯＳの転換が終了した時点で、重合系内にメタノールを加えて反応を停止した。得られた核−ＥＶＥ−ＰＴＯＢＳ系星型ポリマーは、Ｍｗ＝６０,３００、Ｍｗ／Ｍｎ＝１.５４であった。【００６５】
更に反応溶液にアンバーリストＭＳＰＳ２−１・ＤＲＹ〔商品名、オルガノ（株）製〕を２５ｗｔ％添加し、室温で２時間攪拌した後、１μｍのフィルタに通液させた。この液をエバポレータで減圧濃縮し、核−ＥＶＥ−ＰＴＢＯＳ系星型ポリマーを得た。【００６６】
ここで得られたポリマーは、Ｍｗ＝７３,９００、Ｍｗ／Ｍｎ＝１.４４であった。また、得られたポリマーの絶対分子量をＧＰＣ−ＬＡＬＬＳにより測定したところ、Ｍｗａｂｓｏｌｕｔｅは２２０,０００となり、それに基づいて求めた枝の数は６９本であり、粒径は４６ｎｍであった。通常の重量平均分子量がＧＰＣ−ＬＡＬＬＳによる絶対分子量に比べて小さいことから得られたポリマーは分岐の多いコンパクトな構造を持つことが明らかである。したがって、得られたポリマーは星型ポリマーである。【００６７】
実  施  例  ２
核−エチルビニルエーテル−ｐ−ｔｅｒｔ−ブトキシスチレン共重合      系星型ポリマーの製造（Ｂ法によるアーム形成）：
三方活栓をつけたガラス容器を準備し、アルゴン置換後、アルゴン雰囲気下で加熱してガラス容器内の吸着水を除いた。容器内にＩＢＥＡ１４.８ｍＭ、ＣＨＤＶＥ２９.５ｍＭ、酢酸エチル３.７Ｍ、トルエン１８５ｍｌを入れ、冷却した。【００６８】
系内温度が−１０℃に達したところでＥｔ１.５ＡｌＣｌ１.５のトルエン溶液（１２.５ｍＭ）を加えて重合を開始した。ＣＨＤＶＥのビニル基の転換を時分割にＧＰＣを用いてモニタリングし、ＧＰＣの波形が一定になるまで反応を行った。【００６９】
ＧＰＣの波形が一定になった時点で反応溶液を少量採取し、ナトリウムメトキシドを含むメタノールで反応を停止させ、ＧＰＣにより分析したところ、得られたＣＨＤＶＥの核ポリマーは、Ｍｗ＝１５,６００、Ｍｗ／Ｍｎ＝１.６４であった。【００７０】
次いで、Ｅｔ１.５ＡｌＣｌ１.５のトルエン溶液（２３ｍＭ）を添加し、ＳｎＣｌ４のトルエン溶液（１８６ｍＭ）を加えて、反応温度が−４０℃まで冷却した後、ＥＶＥ０.１６ＭとＰＴＢＯＳ０.１６Ｍの混合物を加えて更に−４０℃で反応を続けた。【００７１】
ＥＶＥとＰＴＢＯＳの転換が終了した時点で、重合系内にメタノールを加えて反応を停止した。ここでＰＴＢＯＳの反応速度定数ｋＴＢＯＳとＥＶＥの反応速度定数ｋＥＶＥの比であるｋＥＶＥ／ｋＴＢＯＳは１８３０と算出された。また得られた核−ＥＶＥ−ＰＴＢＯＳ系星型ポリマーは、Ｍｗ＝５９,７００、Ｍｗ／Ｍｎ＝１.４５であった。【００７２】
実  施  例  ３
核−エチルビニルエーテル−ｐ−イソプロペニルフェノール共重合系      星型ポリマーの製造（Ａ法によるアーム形成）：
三方活栓をつけたガラス容器を準備し、アルゴン置換後、アルゴン雰囲気下で加熱してガラス容器内の吸着水を除いた。容器内にＩＢＥＡ１４.８ｍＭ、ＣＨＤＶＥ２９.５ｍＭ、酢酸エチル３.７Ｍ、トルエン１８５ｍｌを入れ、冷却した。【００７３】
系内温度が−１０℃に達したところでＥｔ１.５ＡｌＣｌ１.５のトルエン溶液（１２.５ｍＭ）を加えて重合を開始した。ＣＨＤＶＥのビニル基の転換を時分割にＧＰＣを用いてモニタリングし、ＧＰＣの波形が一定になるまで反応を行った。【００７４】
ＧＰＣの波形が一定になった時点で反応溶液を少量採取し、ナトリウムメトキシドを含むメタノールで反応を停止させ、ＧＰＣにより分析したところ、得られたＣＨＤＶＥの核ポリマーは、Ｍｗ＝１８９００、Ｍｗ／Ｍｎ＝１.８１であった。【００７５】
次いで、ＥＶＥ０.１８Ｍを反応溶液に添加し、Ｅｔ１.５ＡｌＣｌ１.５のトルエン溶液（２８ｍＭ）を加えて更に反応温度−１０℃で反応を続けた。【００７６】
ＥＶＥの転換が終了した時点で反応溶液を少量採取し、ナトリウムメトキシドを含むメタノールで反応を停止させ、ＧＰＣにより分析したところ、得られた核−ＥＶＥ系星型ポリマーは、Ｍｗ＝３７２００、Ｍｗ／Ｍｎ＝１.４６の単分散ポリマーであった。【００７７】
次に、ｐ−イソプロペニルフェノール（以下、「ＰＩＰＰ」と記載する）の酢酸エチル溶液（０.０３２Ｍ）を反応溶液に添加し、ＳｎＣｌ４のトルエン溶液（２０４ｍＭ）を加えて更に反応温度−１０℃で反応を続けた。【００７８】
ＰＩＰＰの転換が終了した時点で、重合系内にメタノールを加えて反応を停止した。得られた核−ＥＶＥ−ＰＩＰＰ系星型ポリマーは、Ｍｗ＝４３９００、Ｍｗ／Ｍｎ＝１.５９であった。【００７９】
比  較  例  １
核−ｐ−ｔｅｒｔ−ブトキシスチレン−エチルビニルエーテル共重合      系星型ポリマーの製造（オキシスチレン系単量体、ビニルエーテル系      単量体の順に反応させた場合）：
三方活栓をつけたガラス容器を準備し、アルゴン置換後、アルゴン雰囲気下で加熱してガラス容器内の吸着水を除いた。容器内にＩＢＥＡ１４.８ｍＭ、ＣＨＤＶＥ２９.５ｍＭ、酢酸エチルＭ、トルエン１８５ｍｌを入れ、冷却した。【００８０】
系内温度が−１０℃に達したところでＥｔ１.５ＡｌＣｌ１.５のトルエン溶液（１１.４ｍＭ）を加えて重合を開始した。ＣＨＤＶＥのビニル基の転換を時分割にＧＰＣを用いてモニタリングし、ＧＰＣの波形が一定になるまで反応を行った。【００８１】
ＧＰＣの波形が一定になった時点で反応溶液を少量採取し、ナトリウムメトキシドを含むメタノールで反応を停止させ、ＧＰＣにより分析したところ、得られたＣＨＤＶＥの核ポリマーは、Ｍｗ＝１８０００、Ｍｗ／Ｍｎ＝１.７１であった。【００８２】
次いで、ＰＴＢＯＳ０.１６Ｍを反応溶液に添加し、ＳｎＣｌ４のトルエン溶液（１８６ｍＭ）を加えて更に反応温度−１０℃で反応を続けた。【００８３】
ＰＴＢＯＳの転換が終了した時点で、反応溶液を少量採取し、ナトリウムメトキシドを含むメタノールで反応を停止させ、ＧＰＣにより分析したところ、得られた核−ＰＴＯＢＳ系星型ポリマーは、Ｍｗ＝１０２６００、Ｍｗ／Ｍｎ＝１.５１であった。【００８４】
次に、ＥＶＥ０.１６Ｍを反応溶液に添加し反応温度−１０℃で反応を続けたところ、ＧＰＣの波形は２峰性ピークとなり、目的とするスターポリマーを得ることはできない結果となった。【００８５】
比  較  例  ２
核−エチルビニルエーテル−ｐ−ｔｅｒｔ−ブトキシスチレン共重合      系星型ポリマーの製造（ｋＶＥ／ｋＯＳ＜１６５０の場合）：
ＥＶＥ及びＰＴＢＯＳの反応温度を−２０℃とした以外は実施例２と同様にして反応を行った。【００８６】
各単量体の消費量をＧＣでモニタリングした結果、ＰＴＢＯＳの反応速度定数ｋＴＢＯＳとＥＶＥの反応速度定数ｋＥＶＥの比であるｋＥＶＥ／ｋＴＢＯＳは１６００と算出された。またＥＶＥの転化率が１００％となる前に、ＰＴＢＯＳの反応が起きていることが確認され、目的とするスターポリマーを得ることはできない結果となった。
【産業上の利用可能性】
【００８７】
本発明によれば、従来合成が煩雑であった核からビニルエーテル系アームとオキシスチレン系アームが順に共重合したビニルエーテル系星型ポリマーを簡便な方法で製造することができる。【００８８】
また、本発明のビニルエーテル系星型ポリマーの製造方法は、ワンポットで行うことができるため、製造工程や製造設備を大幅に簡略化でき、従来の種々の方法に比べて工業的に極めて有利である。【００８９】
従って、本発明方法によれば、アームがオキシスチレン系重合体とビニルエーテル系重合体のジブロック共重合体になっており、半導体素子の層間絶縁膜、表面保護膜などの用途に適した感光性樹脂成分の原料として好適に用いることができるビニルエーテル系星型ポリマーを経済性高く製造することができ、電子材料製造の分野において広く利用しうるものである。
【国際調査報告】
2011070880.tif 000014
2011070880.tif 000015
2011070880.tif 000016
2011070880.tif 000017